【手続補正書】
【提出日】令和3年5月10日(2021.5.10)
【手続補正１】
【補正対象書類名】特許請求の範囲
【補正対象項目名】全文
【補正方法】変更
【補正の内容】
【特許請求の範囲】
【請求項１】
顧客により購入される商品の情報を取得する取得手段と、
前記商品に係るレシートのレシートデータを、前記商品の情報が前記レシートの短手方向に沿った横書きで配置されるように作成して出力するレシート出力手段と、
軽減税率が適用される第１の商品および他の税率が適用される第２の商品の情報を前記取得手段が取得した場合、前記第１の商品および前記第２の商品の合計金額と前記第１の商品および前記第２の商品の合計税額とが領収証の長手方向に沿った横書きで配置され、少なくとも前記商品の名称と前記合計金額と前記合計税額とが前記領収証の短手方向に沿った横書きで配置された、前記領収証のデータを作成して出力する領収証出力手段と、
を備える販売データ処理装置。
【請求項２】
顧客により購入される商品の情報を取得する取得手段と、
前記商品に係るレシートのレシートデータを、レシートの長さ方向に改行する書式で構成して出力するレシート出力手段と、
軽減税率が適用される第１の商品および他の税率が適用される第２の商品の情報を前記取得手段が取得した場合、前記第１の商品および前記第２の商品の合計金額と前記第１の商品および前記第２の商品の合計税額とが横長の書式で構成され、少なくとも前記商品の名称と前記合計金額と前記合計税額とが領収証の長さ方向に改行される書式で構成された、前記領収証のデータを作成して出力する領収証出力手段と、
を備える販売データ処理装置。
【請求項３】
顧客により購入される商品の情報を取得する取得手段と、
前記商品に係るレシートのレシートデータを、印字部における用紙搬送方向に直交する方向に沿って横書きで構成して出力するレシート出力手段と、
軽減税率が適用される第１の商品および他の税率が適用される第２の商品の情報を前記取得手段が取得した場合、前記商品の合計金額と前記第１の商品と前記第２の商品の合計税額とが前記印字部における用紙搬送方向に沿って横書きで配置され、前記商品の名称と前記合計金額と前記合計税額とが前記印字部における用紙搬送方向に直交する方向に沿って横書きで配置された、領収証のデータを作成して出力する領収証出力手段と、
を備える販売データ処理装置。 
【請求項４】
前記領収証出力手段は、前記合計金額と前記合計税額とが前記領収証の長手方向に沿った横書きで配置される部分が、前記商品の名称と前記合計金額と前記合計税額とが前記領収証の短手方向に沿った横書きで配置される部分よりも先になるよう、前記領収証のデータを出力する
請求項１に記載の販売データ処理装置。
【請求項５】
前記領収証出力手段は、前記商品の名称と前記合計金額と前記合計税額とが前記領収証の短手方向に沿った横書きで配置される部分に、前記第１の商品に基づく税額と前記第２の商品に基づく税額とをさらに含めた前記領収証のデータを出力する
請求項１または４に記載の販売データ処理装置。
【請求項６】
前記領収証出力手段は、前記商品の名称と前記合計金額と前記合計税額とが前記領収証の短手方向に沿った横書きで配置される部分に、前記商品の購入に対して付与されるポイントをさらに含めた前記領収証のデータを出力する
請求項１，４，５のいずれか１項に記載の販売データ処理装置。
【請求項７】
前記領収証出力手段は、前記横長の書式で構成される部分が、前記商品の名称と前記合計金額と前記合計税額とが前記領収証の長さ方向に改行される書式で構成される部分よりも先になるよう、前記領収証のデータを出力する
請求項２に記載の販売データ処理装置。
【請求項８】
前記領収証出力手段は、前記商品の名称と前記合計金額と前記合計税額とが前記領収証の長さ方向に改行される書式で構成される部分に、前記第１の商品に基づく税額と前記第２の商品に基づく税額とをさらに含めた前記領収証のデータを出力する
請求項２または７に記載の販売データ処理装置。
【請求項９】
前記領収証出力手段は、前記商品の名称と前記合計金額と前記合計税額とが前記領収証の長さ方向に改行される書式で構成される部分に、前記商品の購入に対して付与されるポイントをさらに含めた前記領収証のデータを出力する
請求項２，７，８のいずれか１項に記載の販売データ処理装置。
【請求項１０】
前記領収証出力手段は、前記商品の合計金額と前記第１の商品と前記第２の商品の合計税額とが前記印字部における用紙搬送方向に沿って横書きで配置される部分が、前記商品の名称と前記合計金額と前記合計税額とが前記印字部における用紙搬送方向に直交する方向に沿って横書きで配置される部分よりも先になるよう、前記領収証のデータを出力する
請求項３に記載の販売データ処理装置。
【請求項１１】
前記領収証出力手段は、前記商品の名称と前記合計金額と前記合計税額とが前記印字部における用紙搬送方向に直交する方向に沿って横書きで配置される部分に、前記第１の商品に基づく税額と前記第２の商品に基づく税額とをさらに含めた前記領収証のデータを出力する
請求項３または１０に記載の販売データ処理装置。
【請求項１２】
前記領収証出力手段は、前記商品の名称と前記合計金額と前記合計税額とが前記印字部における用紙搬送方向に直交する方向に沿って横書きで配置される部分に、前記商品の購入に対して付与されるポイントをさらに含めた前記領収証のデータを出力する
請求項３，１０，１１のいずれか１項に記載の販売データ処理装置。
【請求項１３】
販売データ処理装置が備えるコンピュータを、
顧客により購入される商品の情報を取得する取得手段と、
前記商品に係るレシートのレシートデータを、前記商品の情報が前記レシートの短手方向に沿った横書きで配置されるように作成して出力するレシート出力手段と、
軽減税率が適用される第１の商品および他の税率が適用される第２の商品の情報を前記取得手段が取得した場合、前記第１の商品および前記第２の商品の合計金額と前記第１の商品および前記第２の商品の合計税額とが領収証の長手方向に沿った横書きで配置され、少なくとも前記商品の名称と前記合計金額と前記合計税額とが前記領収証の短手方向に沿った横書きで配置された、前記領収証のデータを作成して出力する領収証出力手段と、
として機能させるプログラム。
【請求項１４】
販売データ処理装置が備えるコンピュータを、
顧客により購入される商品の情報を取得する取得手段と、
前記商品に係るレシートのレシートデータを、レシートの長さ方向に改行する書式で構成して出力するレシート出力手段と、
軽減税率が適用される第１の商品および他の税率が適用される第２の商品の情報を前記取得手段が取得した場合、前記第１の商品および前記第２の商品の合計金額と前記第１の商品および前記第２の商品の合計税額とが横長の書式で構成され、少なくとも前記商品の名称と前記合計金額と前記合計税額とが領収証の長さ方向に改行される書式で構成された、前記領収証のデータを作成して出力する領収証出力手段と、
として機能させるプログラム。
【請求項１５】
販売データ処理装置が備えるコンピュータを、
顧客により購入される商品の情報を取得する取得手段と、
前記商品に係るレシートのレシートデータを、印字部における用紙搬送方向に直交する方向に沿って横書きで構成して出力するレシート出力手段と、
軽減税率が適用される第１の商品および他の税率が適用される第２の商品の情報を前記取得手段が取得した場合、前記商品の合計金額と前記第１の商品と前記第２の商品の合計税額とが前記印字部における用紙搬送方向に沿って横書きで配置され、前記商品の名称と前記合計金額と前記合計税額とが前記印字部における用紙搬送方向に直交する方向に沿って横書きで配置された、領収証のデータを作成して出力する領収証出力手段と、
として機能させるプログラム。
【請求項１６】
前記領収証出力手段は、前記合計金額と前記合計税額とが前記領収証の長手方向に沿った横書きで配置される部分が、前記商品の名称と前記合計金額と前記合計税額とが前記領収証の短手方向に沿った横書きで配置される部分よりも先になるよう、前記領収証のデータを出力する
請求項１３に記載のプログラム。
【請求項１７】
前記領収証出力手段は、前記商品の名称と前記合計金額と前記合計税額とが前記領収証の短手方向に沿った横書きで配置される部分に、前記第１の商品に基づく税額と前記第２の商品に基づく税額とをさらに含めた前記領収証のデータを出力する
請求項１３または１６に記載のプログラム。
【請求項１８】
前記領収証出力手段は、前記商品の名称と前記合計金額と前記合計税額とが前記領収証の短手方向に沿った横書きで配置される部分に、前記商品の購入に対して付与されるポイントをさらに含めた前記領収証のデータを出力する
請求項１３，１６，１７のいずれか１項に記載のプログラム。
【請求項１９】
前記領収証出力手段は、前記横長の書式で構成される部分が、前記商品の名称と前記合計金額と前記合計税額とが前記領収証の長さ方向に改行される書式で構成される部分よりも先になるよう、前記領収証のデータを出力する
請求項１４に記載のプログラム。
【請求項２０】
前記領収証出力手段は、前記商品の名称と前記合計金額と前記合計税額とが前記領収証の長さ方向に改行される書式で構成される部分に、前記第１の商品に基づく税額と前記第２の商品に基づく税額とをさらに含めた前記領収証のデータを出力する
請求項１４または１９に記載のプログラム。
【請求項２１】
前記領収証出力手段は、前記商品の名称と前記合計金額と前記合計税額とが前記領収証の長さ方向に改行される書式で構成される部分に、前記商品の購入に対して付与されるポイントをさらに含めた前記領収証のデータを出力する
請求項１４，１９，２０のいずれか１項に記載のプログラム。
【請求項２２】
前記領収証出力手段は、前記商品の合計金額と前記第１の商品と前記第２の商品の合計税額とが前記印字部における用紙搬送方向に沿って横書きで配置される部分が、前記商品の名称と前記合計金額と前記合計税額とが前記印字部における用紙搬送方向に直交する方向に沿って横書きで配置される部分よりも先になるよう、前記領収証のデータを出力する
請求項１５に記載のプログラム。
【請求項２３】
前記領収証出力手段は、前記商品の名称と前記合計金額と前記合計税額とが前記印字部における用紙搬送方向に直交する方向に沿って横書きで配置される部分に、前記第１の商品に基づく税額と前記第２の商品に基づく税額とをさらに含めた前記領収証のデータを出力する
請求項１５または２２に記載のプログラム。
【請求項２４】
前記領収証出力手段は、前記商品の名称と前記合計金額と前記合計税額とが前記印字部における用紙搬送方向に直交する方向に沿って横書きで配置される部分に、前記商品の購入に対して付与されるポイントをさらに含めた前記領収証のデータを出力する
請求項１５，２２，２３のいずれか１項に記載のプログラム。
【手続補正２】
【補正対象書類名】明細書
【補正対象項目名】０００４
【補正方法】変更
【補正の内容】
【０００４】
実施形態の販売データ処理装置は、顧客により購入される商品の情報を取得する取得手段と、前記商品に係るレシートのレシートデータを、前記商品の情報が前記レシートの短手方向に沿った横書きで配置されるように作成して出力するレシート出力手段と、軽減税率が適用される第１の商品および他の税率が適用される第２の商品の情報を前記取得手段が取得した場合、前記第１の商品および前記第２の商品の合計金額と前記第１の商品および前記第２の商品の合計税額とが領収証の長手方向に沿った横書きで配置され、少なくとも前記商品の名称と前記合計金額と前記合計税額とが前記領収証の短手方向に沿った横書きで配置された、前記領収証のデータを作成して出力する領収証出力手段と、を備える。